(57)【特許請求の範囲】
【請求項１】
凧シートに、凧の対象軸となる中心骨と、前記中心骨に直交する主翼の主要部に配置された主翼主骨と、前記中心骨と前記主翼主骨との交点より下方から前記主翼主骨に向かって傾斜して配置された主翼補強骨と、主翼前縁部分から主翼翼端に向かって配置した主翼細骨とを配置してなる凧において、前記凧シートとは別体の軽量平板に、主翼主骨、主翼補強骨及び主翼細骨を配置することによって予め組み立てて骨組み構造とし、該軽量平板を、主翼翼端から主翼前縁中央部分、さらに、主翼前縁中央部分から中心骨の先端部分を通って前記主翼主骨、主翼補強骨及び主翼細骨の配置位置を覆い、かつ、主翼の揚力が有効に作用する翼の前縁近傍を覆い、中心骨を対象軸として、対となるように前記凧シートに貼り付けたことを特徴とする凧。
【請求項２】
前記軽量平板に配置する主翼主骨及び主翼補強骨を、接着剤で接着することによって予め組み立てて骨組み構造としたことを特徴とする請求項１記載の凧。
【請求項３】
前記軽量平板を、発泡樹脂シート部材としたことを特徴とする請求項１又は２記載の凧。
【請求項４】
前記中心骨に錘を位置調節可能に配設したことを特徴とする請求項１、２又は３記載の凧。
【請求項５】
前記中心骨を中空構造とし、中心骨の内部に錘を取り付けたことを特徴とする請求項４記載の凧。
【請求項６】
前記軽量平板を、主翼前縁中央部分から中心骨の先端部分を通って前記主翼主骨及び主翼補強骨の配置位置を覆い、主翼主骨、主翼補強骨及び主翼主骨の両端に中心骨と平行となる縦骨を配置した中央軽量平板と、主翼前縁中央部分から主翼翼端を通って前記主翼細骨の配置位置を覆い、主翼細骨を配置した翼端軽量平板とに分割したことを特徴とする請求項１、２、３、４又は５記載の凧。
【請求項７】
前記軽量平板に、中央軽量平板から翼端軽量平板に向かって突出した規制部材を配設したことを特徴とする請求項６記載の凧。
【発明の詳細な説明】
【技術分野】
【０００１】
本発明は、飛行特性を改善した凧に関し、特に、その組立方法を改善した凧に関するものである。
【背景技術】
【０００２】
古来より種々の凧が考案され、用いられているが、近年、流体力学、特に、航空機力学を設計に取り入れることにより、飛行特性を改善した凧が提案されている（例えば、特許文献１参照）。
【０００３】
この凧は、図１０〜図１２に示すように、中心骨２１、主翼主骨２２、主翼前縁骨２３、主翼補強骨２４、主翼中間縦骨２５、尾翼骨２６、主翼延長骨２７、主翼細骨２８、凧シート２９を主要構成部材とし、中心骨２１と主翼主骨２２は、主翼主骨継手３３によって、また、中心骨２１と主翼補強骨２４は、主翼補強骨継手３４によって取り付けられている。
ここで、３２は、主翼中間補強骨を、３１、３２は、それぞれ、主翼、尾翼を示すものである。
【０００４】
そして、この凧２０は、組み立てるに際して、まず、凧シート２９の中心対称軸に中心骨２１を配置する。次に、水平方向の主翼主骨２２を主翼３１の主要部に配置する。中心骨２１と主翼主骨２２、図１２（ａ）に示すような樹脂製の主翼主骨継手３３を使って連結し、中心骨２１を中心に屈曲できる構造とする。主翼補強骨２４も同様にして、主翼補強骨継手３４を使って組み立てる。骨材は組み立て次第、凧シート２９に接着し、相互に固定する。
【０００５】
残りの骨材も同様に接着していき、骨組みが完成したら、図１１に示すように、左右の主翼主骨２２をバネ３５とバネ継手３６、３６で上反角θａをもたせて組み立てる。図１２（ｂ）では、バネ継手３６を鈍角に折り曲げて使用しているが、鋭角に折り曲げて使用する場合もある。
【０００６】
各継手には骨材をはめ込んで固定する複数の穴、又は溝が設けられている。溝は断面が略Ｕ字形であるが、入口が少し狭い馬蹄形にして骨材を固定できるようになっている。  
【０００７】
また、組み立て作業の効率化を図るために、凧シートに各骨を配置する箇所を印刷しておき、両面テープや接着剤によって各骨を貼り付けるようにする凧も提案されている（例えば、特許文献２参照）。
【０００８】
さらに、揚力がもっとも発生する、一方の主翼前縁中央部分から中心骨の先端部分を通り他方の主翼前縁中央部分を板骨によって覆うことにより、揚力の確保と中心骨の保護とを行うことのできる凧も提案されている（例えば、特許文献３参照）。
【０００９】
【特許文献１】特開２０００−２６２７７２号公報
【特許文献２】特許第３９５４９５０号公報
【特許文献３】特許第３６９９６７７号公報
【発明の開示】
【発明が解決しようとする課題】
【００１０】
ところで、この凧２０は、各骨を凧シート２９に直接貼り付けるため、各骨材で構成される骨組みに歪が生じやすいという問題があった。
また、凧シート２９は、軽量化の観点から不織布が使用されている。不織布を凧シートとして使用する場合、風が抜けやすく、揚力のロスが発生しやすくなるとともに、強風時に貼り付けられた各骨材で形成される骨組みに歪みが生じ、凧２０に傾きや回転が発生し、墜落の一因となるという問題もあった。
【００１１】
本発明は、上記従来の凧の有する問題点に鑑み、突風や強風時の飛行の場合であっても、各骨材で形成される骨組みに歪みを生じさせることなく安定した飛行を行うことができるとともに、揚力を十分に確保して高い飛行性能を有する凧を提供することを目的とする。
【課題を解決するための手段】
【００１２】
上記目的を達成するため、本発明の凧は、凧シートに、凧の対象軸となる中心骨と、前記中心骨に直交する主翼の主要部に配置された主翼主骨と、前記中心骨と前記主翼主骨との交点より下方から前記主翼主骨に向かって傾斜して配置された主翼補強骨と、主翼前縁部分から主翼翼端に向かって配置した主翼細骨とを配置してなる凧において、前記凧シートとは別体の軽量平板に、主翼主骨、主翼補強骨及び主翼細骨を配置することによって予め組み立てて骨組み構造とし、該軽量平板を、主翼翼端から主翼前縁中央部分、さらに、主翼前縁中央部分から中心骨の先端部分を通って前記主翼主骨、主翼補強骨及び主翼細骨の配置位置を覆い、かつ、主翼の揚力が有効に作用する翼の前縁近傍を覆い、中心骨を対象軸として、対となるように前記凧シートに貼り付けたことを特徴とする。
【００１３】
この場合において、前記軽量平板に配置する主翼主骨及び主翼補強骨を、接着剤で接着することによって予め組み立てて骨組み構造とすることができる。
【００１４】
また、軽量平板を、発泡樹脂シート部材とすることができる。
【００１５】
これらの場合において、前記中心骨に錘を位置調節可能に配設することができる。
【００１６】
中心骨に錘を位置調節可能に配設するときは、前記中心骨を中空構造とし、中心骨の内部に錘を取り付けることができる。
【００１７】
また、前記軽量平板を、主翼前縁中央部分から中心骨の先端部分を通って前記主翼主骨及び主翼補強骨の配置位置を覆い、主翼主骨、主翼補強骨及び主翼主骨の両端に中心骨と平行となる縦骨を配置した中央軽量平板と、主翼前縁中央部分から主翼翼端を通って前記主翼細骨の配置位置を覆い、主翼細骨を配置した翼端軽量平板とに分割することができる。
【００１８】
また、この場合において、前記軽量平板に、中央軽量平板から翼端軽量平板に向かって突出した規制部材を配設することができる。
【発明の効果】
【００１９】
本発明の凧によれば、主翼翼端から主翼前縁中央部分、さらに、主翼前縁中央部分から中心骨の先端部分を通って前記主翼主骨、主翼補強骨及び主翼細骨の配置位置を覆い、かつ、主翼の揚力が有効に作用する翼の前縁近傍を覆う軽量平板を、中心骨を対象軸として、対となるように凧シートに貼り付けるようにしたから、凧を構成する骨材のうち主要となる主翼主骨、主翼補強骨及び主翼細骨を凧シートとは別となる軽量平板に配置し、十分な強度と面精度を確保して凧を組み立てることができ、優れた微風特性を損なうことなく、突風や強風時の飛行の場合であっても、各骨で形成される骨組みに歪みを生じさせることなく安定した飛行を行うことができる凧を提供することができる。
【００２０】
また、前記軽量平板に配置する主翼主骨及び主翼補強骨を、接着剤で接着することによって予め組み立てて骨組み構造としたときは、主翼主骨及び主翼補強骨からなる骨組み構造を面精度の高い定盤等の上で十分な面精度を確保しながら組み立ててから軽量平板に配置することができる。この場合、主翼主骨及び主翼補強骨に加え、中心骨と平行となる縦骨を主翼主骨の両端に位置させた骨組み構造とすることもできる。
【００２１】
また、前記軽量平板を、発泡樹脂シート部材とするときは、翼弦長の１／４〜１／３までという揚力がもっとも発生する範囲を凧シートよりもはるかに折り曲げ強度を有する発泡樹脂シート部材で覆っているので、揚力発生時の空気漏れや面の軽量平板からの歪みによる揚力の低減を減少させ、同じ風速を受けてもはるかに高揚力の安定した飛行をすることができる。
【００２２】
また、前記中心骨に錘を位置調節可能に配設するときは、凧の重心を簡単に変更することが可能となり、例えば、錘を中心骨の尾翼の後端に配設し、重心を尾翼側に移動させることによって、凧を手で投げた場合の滑空速度を失速させることができる。
【００２３】
また、前記中心骨を中空構造とし、中心骨の内部に錘を配設するときは、鉄心状の錘を中心骨の中空内に嵌入することによって容易に着脱可能になるとともに、位置調節も簡単に行うことができる。
【００２４】
また、前記軽量平板を、主翼前縁中央部分から中心骨の先端部分を通って前記主翼主骨及び主翼補強骨の配置位置を覆い、主翼主骨、主翼補強骨及び主翼主骨の両端に中心骨と平行となる縦骨を配置した中央軽量平板と、主翼前縁中央部分から主翼翼端を通って前記主翼細骨の配置位置を覆い、主翼細骨を配置した翼端軽量平板とに分割するときは、大型の凧の持ち運びを容易にするために、四つ折れの構造を採用することができ、凧の翼を二段上反角をもって飛行させることができる。
【００２５】
また、前記軽量平板に、中央軽量平板から翼端軽量平板に向かって突出した規制部材を配設するときは、翼端軽量平板が、中央軽量平板と翼端軽量平板との間を揺動中心として揺動する際の揺動幅を規制して最適二段上反角をもって飛行させることができる。
【発明を実施するための最良の形態】
【００２６】
以下、本発明の凧の実施の形態を、図面に基づいて説明する。
【００２７】
図１〜図６に、本発明の凧の一実施例を示す。
【００２８】
この凧１は、凧１の対象軸となる中心骨４と、主翼１１の主要部となる空力中心の近傍に配置された主翼主骨５、前記中心骨４と前記主翼主骨５との交点より下方から前記主翼主骨５に向かって傾斜して配置された主翼補強骨６とを主要構成部材とし、主翼前縁部分から主翼翼端１１ａに向かって配置した主翼細骨１３と、尾翼１２の側方外縁部分の形状保持のための尾翼骨１０とを凧シート２に貼り付けて構成されている。
そして、この凧１は、主翼前縁中央部分から中心骨４の先端部分を通って前記主翼主骨５及び主翼補強骨６の配置位置を覆い、主翼主骨５、主翼補強骨６及び主翼主骨５の両端に中心骨４と平行となる縦骨７、７を配置した中央軽量平板Ｓ１と、主翼前縁中央部分から主翼翼端１１ａを通って前記主翼細骨１３の配置位置を覆い、主翼細骨１３を配置した翼端軽量平板Ｓ２とを、中心骨４を対象軸として、対となるように凧シート２に貼り付けるようにしている。
軽量平板は、大型で四つ折れ構造の凧ではなく、二段上反角をもって飛行させることのない二つ折れの凧の場合には中央軽量平板Ｓ１と翼端軽量平板Ｓ２との分割構造にする必要ない。
【００２９】
中央軽量平板Ｓ１及び翼端軽量平板Ｓ２の材質は、特に限定されず、不織布等を使用する凧シート２より強度を有し、かつ、軽量な材料である発泡樹脂平板、例えば、スチレン発泡樹脂平板等を利用することができる。
【００３０】
中央軽量平板Ｓ１に配置する主翼主骨５、主翼補強骨６及び縦骨７、７は、図２（ａ）に示すように、予め定盤等、面精度の高い作業台３０の上で、エポキシ接着剤等の強力接着剤で接着して組み立てた骨組み構造３とすることができる。
これによって、凧１を構成する主要な骨材の組み立てを十分な面精度を確保して行った骨組み構造３によって支持された発泡樹脂の平板を凧シート２に貼り付けて完成した凧１は面の歪みが生じにくく、突風や強風時の飛行の際の安定を保つことができる。
【００３１】
凧１を構成する各骨材は、図２（ａ）に示す丸材のほか、角材を使用することもでき、その材料としては、グラスファイバ、カーボン強化樹脂、ヒノキ、ラミン等の木材、中実、中空又は発泡した樹脂材料、竹ひご、ピアノ線等の金属材料等からなる所要の剛性を有する線材を使用することができる。
【００３２】
作業台３０の上で組み立てた主翼主骨５、主翼補強骨６及び縦骨７、７からなる骨組み構造３を、図２（ｃ）に示すように、作業台３０の上で中央軽量平板Ｓ１に配置し、適宜手段で貼り付ける。
このとき、中央軽量平板Ｓ１に、中央軽量平板Ｓ１から翼端軽量平板Ｓ２に向かって突出し、翼端軽量平板Ｓ２の揺動を規制する規制部材１６を配設することが好ましい。
【００３３】
規制部材１６は、その構成を特に限定されず、例えば、板バネ等を利用することができる。規制部材１６の配設位置は、中心骨４から離れた位置の縦骨７と中央軽量平板Ｓ１との間で、表面が中央軽量平板Ｓ１と同一面となるように、中央軽量平板Ｓ１に段差部分を設けて配設することが好ましい。
【００３４】
そして、図３（ａ）〜図３（ｂ）に示すように、中央軽量平板Ｓ１と、主翼細骨１３を配置し、前記規制部材１６を固定するための固定部材１７を配設した翼端軽量平板Ｓ２とを中心骨４及び尾翼骨１０を貼り付けた凧シート２の所定箇所に配置し、適宜手段で貼り付ける。
この場合、規制部材１６の表面に貼着した面ファスナＭと固定部材１７の裏面（翼端軽量平板Ｓ２との当接面）に貼着した面ファスナＭ’とによって規制部材１６を翼端軽量平板Ｓ２に固定するようにしている。これによって、四つ折れの大型凧の場合の収納を容易に行うことができる。
【００３５】
また、規制部材１６の固定方法は、図４に示すように、翼端軽量平板Ｓ２を中央軽量平板Ｓ１と同一面上に位置させたときに規制部材１６が位置する部分を切り欠き、切り欠き部分の両横に面ファスナＭを貼着し、翼端軽量平板Ｓ２を中央軽量平板Ｓ１と同一面上に位置させたときに規制部材１６の表面に貼着した面ファスナＭと併せて同一面上の３箇所に面ファスナＭを配設するようにして、前記３箇所の面ファスナＭと対応する位置に面ファスナＭ’を貼着した固定部材１７を押し当てることによって固定することもできる。
【００３６】
凧１の対象軸となる中心骨４には、錘１８を位置調節可能に配設することができる。
この錘１８の取付方法は、特に限定されるものではなく、例えば、外部から中心骨４を挟み込むように取り付けることができるほか、図５（ａ）に示すように、中心骨４を中空構造として、その内部に錘１８を取り付けるようにすることができる。
この場合、錘１８の外径を中心骨４の内径とほぼ同寸法の鉄心として、嵌入するようにして取り付けることが好ましい。
また、図５（ｂ）〜図５（ｃ）に示すように、中心骨４の中央近傍に錘１８を配設するときは、例えば、中心骨４にスリット４ａを設け、錘１８から突出させた突出部１８ａをスリット４ａから突出させることによって、矢印方向へ錘１８を簡単に移動させることができる。
【００３７】
本実施例の凧１は、揚力が大きく、飛行性能が優れているが、さらに、例えば、尾翼１２の後端に錘１８を位置調節可能に取り付け、重心を後部にずらせることにより、滑空速度を低下させることができる。
そして、この特性を利用して、体育館等の室内で、例えば、釣竿等の長い竿に凧１を取り付け、竿を横方向に振ると、凧１が水平飛行を行いながら、発生した揚力により上昇し、さらに、竿を振る方向を反転させると、凧１はこれに追随し反転した後、水平飛行を続けながら上昇をする。この動作を繰り返すことにより凧は、頭上に達するが、このとき、竿を振るのをやめると、凧が頭上を起点に滑空を始める。糸がたわまないように、滑空をさせた後、高度がある程度下がったときに、再び竿を左右に振ると揚力を発生させて上昇を行う。
以下、この動作を繰り返すことで、凧１は、揚力発生による上昇と滑空を繰り返し、風のない室内でも容易に凧揚げを行うことができる。
【００３８】
また、前記規制部材１６によって、図６（ａ）に示すように、凧１は、二段上反角をもって飛行することができ、主翼翼端１１ａの揺動幅を規制することかできる。
また、固定部材１７及びバネ１４を外すことによって、図６（ｂ）に示すように、簡単に折りたたんで保管・運搬をすることができる。
【００３９】
そして、中央軽量平板Ｓ１及び翼端軽量平板Ｓ２を凧シート２に貼り付けた後に、従来例と同様、左右の主翼主骨５をバネ１４とバネ継手１５、１５で上反角をもたせ、凧糸取付部分８に凧糸を取り付けて組み立てを完了する（図６（ａ）参照）。
【００４０】
次に、無風状態で飛ぶ凧１の飛行原理を説明する。
図７は、二次元翼、すなわちソアリングする鷲鷹類の翼の形状に似たアスペクト比の高い平面形状を持つ翼であって、断面が平板の翼の迎角と風圧中心の関係を示したものである。
図７に示すように、二次元平板翼の場合、風圧中心は、迎角が失速角以下の非失速飛行の場合は、迎角の大きさにかかわらず翼の前縁から翼幅ｃの１／４の点にある。
この点で風に平行に翼を支えると、迎角にかかわらず翼には、翼の角度を変えようとするモーメントが変化しないので、風圧中心ともいわわれる。
また、この点では翼に加わるモーメントが常にゼロと一定であるので空力中心ともいわれる（通常、航空機は、重心を空力中心よりも前にして飛行している。）。
また、一般に断面形状がキャンバーを持つ非平面翼では、モーメントはゼロではないが一定となる点がある。これが一般の空力中心といわれるもので、普通、空力中心と風圧中心は一致しない。
一方、平板翼の場合は、空力中心と風圧中心が一致するという特性を有している。
さて、図８に示す凧１は、竿で水平に引っ張ることによって凧１が失速角以下の迎角で飛行しているときの力のバランスを示している。
凧１の重心は、凧１の後端に調整可能な状態で置かれた錘１８の位置の微調整で、航空機とは異なり、風圧中心、つまり、空力中心よりもやや後方に置かれている。
一方、竿の水平運動によって糸目中心に加えられる推力Ｐが加えられるので、重心にかかる重力をＧとしたとき、迎角θが次の関係式で表される。
Ｔａｎθ＝Ｇ×（風圧中心〜糸目中心間の距離）／（Ｐ×（糸目中心〜風圧中心間の距離））
ここで、この推力Ｐを調整することによって、迎角θを失速角以下の大きな値に保って、図９に示すように大きな揚力係数が得られ、飛行速度が低くても効率よく揚力を発生して飛行を続けるようにすることができる。
そして、このとき発生する揚力が重力Ｇよりも大きくなれば、凧１は無風でも上昇することになる。
ここで、竿を引くのを止めると、凧１は自力で滑空しようとする。
凧１の重心は、図８に示すように、失速角以下の迎角θの場合の風圧中心よりやや後方にとってあるので、凧糸からの推力Ｐが反転する瞬間に生じる推力ゼロの瞬時の自力滑空では、重力Ｇに引っ張られて、凧は頭をもたげる。
その結果、凧１は失速し、図７に示すように、風圧中心が重心より後方に移動する。
すると、凧１は再び頭を下げて非失速飛行することとなり、風圧中心が重心より前方に移動し、凧１は再び失速状態になる。これをピッチング飛行という。
普通、ピッチング飛行では失速飛行時の抗力により滑空速度が極端に低下し、１〜３回のピッチングで速度を失い墜落する。
そして、このピッチング飛行が持続する短い瞬間に竿を逆方向に引っ張ると、凧１は糸目中心で引っ張られて再び非失速状態となり揚力を受けて上昇する。
このような竿の動きを繰り返すことにより、凧１は無風にもかかわらず上昇していくものとなる。
以上の例では竿を使って手動で揚げた例であるが、おもちゃの電動自動車や電車を使って前進後退を繰り返せば室内の狭い空間でも小さい凧１を安全に揚げることができる。
【００４１】
以上、本発明の凧について、その実施例に基づいて説明したが、本発明は上記実施例に記載した構成に限定されるものではなく、その趣旨を逸脱しない範囲において適宜その構成を変更することができるものである。
【産業上の利用可能性】
【００４２】
本発明の凧は、突風や強風時の飛行の場合であっても、各骨材で形成される骨組みに歪みを生じさせることなく安定した飛行を行うことができるとともに、揚力を十分に確保して高い飛行性能を有するものであることから、屋外で使用する凧のほか、室内で使用する凧の用途に好適に用いることができる。
【図面の簡単な説明】
【００４３】
【図１】本発明の凧の一実施例を示す平面図である。
【図２】中央軽量平板に主翼主骨、主翼補強骨及び縦骨の骨組み構造を配置する作業方法を示し、（ａ）は作業台上で主翼主骨、主翼補強骨及び縦骨の骨組み構造を組み立てるところを、（ｂ）は中央軽量平板を、（ｃ）は中央軽量平板に骨組み構造を配置するところを示す。
【図３】凧シートに中央軽量平板及び翼端軽量平板を貼り付ける作業方法を示し、（ａ）は凧シートに両シートを配置する前を、（ｂ）は配置して貼り付けたところを示す。
【図４】規制部材の別の固定方法を示し、（ａ）は翼端軽量平板が貼り付けられている主翼翼端を中央軽量平板が貼り付けられている主翼に対して約９０度曲げた状態を、（ｂ）は主翼翼端を主翼と同一面上にした状態を、（ｃ）は固定部材で規制部材を固定した状態を示す。
【図５】同凧の中心骨を中空構造として内部に錘を配設する例を示し、（ａ）は尾翼部分に配設した例を、（ｂ）は中央付近に移動可能に配設した例を、それぞれ示し、（ｃ）は（ｂ）のＡ部の拡大図である。
【図６】同凧の正面図を示し、（ａ）は上二段反角の状態を、（ｂ）は主翼を折りたたんだ状態を示す。
【図７】凧の迎角によって変わる風圧中心の前縁からの距離を示すグラフである。
【図８】無風状態で安定飛行する凧に加わる力のバランスの説明図である。
【図９】迎角と揚力係数との関係を示すグラフである。
【図１０】従来の凧の平面図である。
【図１１】同凧にバネを取り付けた状態を示す斜視図である。
【図１２】同凧の骨組みに用いる継手の構造を示す斜視図である。
【符号の説明】
【００４４】
１    凧
２    凧シート
３    骨組み構造
４    中心骨
５    主翼主骨
６    主翼補強骨
７    縦骨
１１  主翼
１１ａ  主翼翼端
１６  規制部材
１７  固定部材
１８  錘
Ｓ１  中央軽量平板
Ｓ２  翼端軽量平板
【図１】
0005058772.tif 000002
【図２】
0005058772.tif 000003
【図３】
0005058772.tif 000004
【図４】
0005058772.tif 000005
【図５】
0005058772.tif 000006
【図６】
0005058772.tif 000007
【図７】
0005058772.tif 000008
【図８】
0005058772.tif 000009
【図９】
0005058772.tif 000010
【図１０】
0005058772.tif 000011
【図１１】
0005058772.tif 000012
【図１２】
0005058772.tif 000013